(57)【要約】      （修正有）【課題】照明器の可動範囲を大きくして、建物の周辺環境に応じた柔軟な照明が可能な照明装置を提供する。【解決手段】本体ケース２と、本体ケース２を取付面に固定する固定具３と、固定具３に対して本体ケースを旋回可能に支持する本体支持手段４と、本体ケース２の両側に配置される側部照明器６と、両側の側部照明器６を本体ケース２に対してそれぞれ独立に角度調整可能に支持する１対の照明支持手段とを備え、本体支持手段４は、固定具３に旋回可能に設けた本体支持アーム１１と、本体支持アーム１１に角度調整可能に本体ケース２を連結する連結手段１２とを備えた。【選択図】図１
0003202066.tif 000002
【実用新案登録請求の範囲】
【請求項１】
本体ケースと、前記本体ケースを取付面に固定する固定具と、前記固定具に対して本体ケースを旋回可能に支持する本体支持手段と、前記本体ケースの両側に配置される側部照明器と、前記両側の側部照明器を本体ケースに対してそれぞれ独立に角度調整可能に支持する１対の照明支持手段とを備え、
前記本体支持手段は、前記固定具に旋回可能に設けた本体支持アームと、前記本体支持アームに角度調整可能に本体ケースを連結する連結手段とを備えた、
ことを特徴とする照明装置。
【請求項２】
前記連結手段が、ボールジョイントからなる請求項１記載の照明装置。
【請求項３】
前記側部照明器として、複数個の発光素子を略同一平面内に配置してなる側部照明手段を備えた、略平板状の側部照明器を用いた請求項１又は２記載の照明装置。
【請求項４】
前記本体ケースの前面部に、複数個の発光素子を略同一平面内に配置してなる前部照明手段を備えた前部照明器を設けた請求項１〜３のいずれか１項記載の照明装置。
【請求項５】
前記１対の照明支持手段は、前記本体ケースから両側方へ突出するように、前記本体ケースに回動自在に設けた照明支持アームと、前記照明支持アームの回動中心と略直交する軸心回りに、前記側部照明器を照明支持アームに対して回動自在に連結する連結軸とを備えた請求項１〜４のいずれか１項記載の照明装置。
【請求項６】
前記側部照明器の後方を照明可能に、前記照明支持アームの回動中心を中心に側部照明器を本体ケースに回動自在に設けた請求項５記載の照明装置。
【請求項７】
前記側部照明器の側方を照明可能に、前記連結軸を中心に側部照明器を照明支持アームに回動自在に設けた請求項５又は６記載の照明装置。
【請求項８】
前記側部照明器の後部に後方へ突出する照明支持ブラケットを設け、前記連結軸により照明支持ブラケットと前記照明支持アームとを回動自在に連結した請求項５〜７のいずれか１項記載の照明装置。
【請求項９】
前記照明支持アームの端部に、前記連結軸と直交状に平坦なアーム側合わせ面を設け、前記照明支持ブラケットにアーム側合わせ面に重ね合されるブラケット側合わせ面を設け、前記アーム側合わせ面にブラケット側合わせ面を重ね合わせて、前記照明支持ブラケットを介して側部照明器を照明支持アームに支持した請求項５〜８のいずれか１項記載の照明装置。
【請求項１０】
前記アーム側合わせ面を照明支持アームの軸心を含む面と略同じ位置に配置し、前記ブラケット側合わせ面を側部ケースの高さ方向の略中央部に配置し、前記１対の側部照明器として同一構成のものを用いた請求項９記載の照明装置。
【請求項１１】
前記本体ケースの前面に前部照明器を取付け、該本体ケースから１対の側部照明器を照明支持アームとともに取り外して、前記照明支持アームを取り外した位置に形成される本体ケース側面の開口を側部蓋体で閉蓋した１灯式と、前記本体ケースの両側に側部照明器を取り付け、前記本体ケースから前部照明器を取り外して、該本体ケースの前面を前部蓋体で閉蓋した２灯式と、前記本体ケースの前面に前部照明器を取付け、該本体ケースの両側に側部照明器を取り付けた３灯式とに切り換え可能となした請求項５〜１０のいずれか１項記載の照明装置。
【考案の詳細な説明】
【技術分野】
【０００１】
本考案は、屋内用や屋外用として好適に利用可能な照明装置に関する。
【背景技術】
【０００２】
屋外用の照明装置として、人が近づくと発光するように構成した、防犯用の人感センサー付きの照明装置が広く実用化されている。
【０００３】
前記照明装置として、建物の外壁や塀等（以下、外壁等という）に固定される本体部の上部に鉛直方向の第１支軸を中心に一定角度の範囲内において回動可能な上下１対の支持部材を設け、一方の支持部材に左側へ延びる支持アームを設け、他方の支持部材に右側へ延びる支持アームを設け、両支持アームの自由端部に水平方向の第２支軸を中心に一定角度の範囲内において上下方向に回転可能に砲弾型の照明器をそれぞれ取り付けたものが提案されている（例えば、特許文献１参照。）。
【０００４】
より具体的には、特許文献１記載の照明装置では、例えば左側の照明器は、正面に向けた状態から、第１支軸を中心に左側へ６０°の範囲で回動できるとともに、第２支軸を中心に上下にそれぞれ４５°の範囲で回動できるように構成され、また右側の照明器は、正面に向けた状態から、第１支軸を中心に右側へ６０°の範囲で回動できるとともに、第２支軸を中心に上下にぞれぞれ４５°の範囲で回動できるように構成され、建物の外壁の前側の路面等を左右方向に一定角度の範囲で照明できるように構成されている。
【先行技術文献】
【特許文献】
【０００５】
【特許文献１】特開２００３−１１５２１４号公報
【考案の概要】
【考案が解決しようとする課題】
【０００６】
ところで、特許文献１記載の照明装置では、それが設置される外壁等の前側、例えば空き巣等の侵入者の侵入口となる建物の扉や窓の前側を照射できるように構成されている。
【０００７】
しかし、建物の扉や窓の前側のみを照射するように設計されたものであることから、照明器の可動範囲が狭く、建物の周辺環境などに応じた柔軟な利用が困難であった。
【０００８】
例えば、建物の外壁等の角部に沿った２本の道路を１台の照明装置で照明することが困難で、該角部周辺の２本の道路を照明するには２台の照明装置を設置したり、角部の内角の中心線と直交状に照明装置を設置したりする必要があるが、前者の場合には利用者の経済的な負担が大きく、後者の場合には、角部に嵌合する直角二等辺三角形状の切欠部を形成した特殊な専用の取付具を用いないと、照明装置を安定設置できないという問題があった。
【０００９】
また、比較的離れた位置から建物の扉や窓へ向かって接近する人を照明して、防犯性能をより一層高めるため、建物の扉や窓の前側だけでなく、外壁等に沿った道路の左右両側へ向けて光を照射するには、２台の照明装置を設置する必要があり、利用者の経済的な負担が大きくなるという問題がある。
【００１０】
更に、前記照明装置は、基本的には、屋外設置の照明装置として設計されたものであり、屋内で利用する場合には、利用者の好みに応じた方向へ向けて光を照射できず、例えば天井や壁へ向けて光を照射して、間接照明として利用することが困難なものであった。
【００１１】
本考案の目的は、照明器の可動範囲を大きくして、建物の周辺環境に応じた柔軟な照明が可能な照明装置を提供するものである。
【課題を解決するための手段】
【００１２】
本考案に係る照明装置は、本体ケースと、前記本体ケースを取付面に固定する固定具と、前記固定具に対して本体ケースを旋回可能に支持する本体支持手段と、前記本体ケースの両側に配置される側部照明器と、前記両側の側部照明器を本体ケースに対してそれぞれ独立に角度調整可能に支持する１対の照明支持手段とを備え、前記本体支持手段は、前記固定具に旋回可能に設けた本体支持アームと、前記本体支持アームに角度調整可能に本体ケースを連結する連結手段とを備えたものである。この照明装置は、屋外用として好適に利用できるが、屋内用として利用することもできる。
【００１３】
この照明装置では、建物の外壁等に面的に固定される固定具に、本体支持アームを旋回可能に設け、照明器を備えた本体ケースを該本体支持アームの自由端に連結手段を介して角度調整可能に設けているので、例えば、建物の角部に適合する特殊な形状の取付具を用いることなく、建物の外壁等の角部に沿った２本の道路を１台の照明装置で照明することが可能となる。具体的には、建物の外壁等の角部を構成する一方の外壁面に固定具を面的に設置して固定し、本体支持アームを角部の頂部側へ回動させ、連結手段により本体ケースの前後方向を、角部の内角の中心線と略平行となるように回動させることで、左右の照明器により２本の道路をそれぞれ照らすことができる。
【００１４】
ここで、前記連結手段が、ボールジョイントからなることが好ましい。この場合には、ボールジョイントからなる簡単な構成の連結手段により、本体ケースに設けられる左右１対の側部照明器の角度を、本体ケースとともに上下方向及び左右方向に一体的に角度調整することができる。
【００１５】
前記側部照明器として、複数個の発光素子を略同一平面内に配置してなる側部照明手段を備えた、略平板状の側部照明器を用いることが好ましい実施の形態である。側部照明器としては、特許文献１記載のような砲弾型のものを採用することもできるが、発光ダイオード（ＬＥＤ）などの複数個の発光素子を略同一平面内に配置してなる略平板状の照明器を用いると、発光面を大きく設定して、１つの発光器でも十分な照度が得られるので好ましい。
【００１６】
前記本体ケースの前面部に、複数個の発光素子を略同一平面内に配置してなる前部照明手段を備えた前部照明器を設けることも好ましい実施の形態である。この場合には、照明装置の前側に関しては、前部照明器により照明できるので、左右の照明器の角度調整可能な範囲を大きく設定して、例えば左右の照明器を真横へ向けて配置した場合でも、照明装置の前側を確実に且つ十分に照明することができる。
【００１７】
前記１対の照明支持手段は、前記本体ケースから両側方へ突出するように、前記本体ケースに回動自在に設けた照明支持アームと、前記照明支持アームの回動中心と略直交する軸心回りに、前記側部照明器を照明支持アームに対して回動自在に連結する連結軸とを備えていることが好ましい。このように構成することで、左右の側部照明器をそれぞれ独立に、上下方向及び左右方向に角度調整することが可能となる。また、照明支持アームを用いることで、側部照明器を略平板状に構成した場合でも、左右の照明支持手段により無理なく左右の照明器を支持することが可能となる。
【００１８】
前記側部照明器の後方を照明可能に、前記照明支持アームの回動中心を中心に側部照明器を本体ケースに回動自在に設けることも好ましい実施の形態である。この場合には、建物の外壁等の角部に沿った２本の道路を１台の照明装置で照明する場合において、角部の一方の外壁面に固定具を固定して、一方の照明器により一方の道路を照明し、他方の外壁面外へ突出する他方の照明器を後方へ向けて配置して、他方の照明器により他方の道路を照明することも可能となる。また、照明器を後方へ向けて配置することで、間接照明が可能となるので、照明装置を屋内用として好適に利用することもできる。
【００１９】
前記側部照明器の側方を照明可能に、前記連結軸を中心に側部照明器を照明支持アームに回動自在に設けることも好ましい実施の形態である。この場合には、側部照明器を側方へ向けて配置し、照明器から左右両側へ光を照射することで、建物の外壁等に沿った道路の左右両側を照明することが可能となり、比較的離れた位置から建物の扉や窓へ向かって接近する人を照明して、防犯性をより一層向上できる。
前記側部照明器の後部に後方へ突出する照明支持ブラケットを設け、前記連結軸により照明支持ブラケットと前記照明支持アームとを回動自在に連結することが好ましい実施の形態である。この場合には、連結軸や照明支持ブラケットが側部照明器に対して、その大部分が前側から目視できないように隠れるので、照明装置の意匠性を向上する上で好ましい。
【００２０】
前記照明支持アームの端部に、前記連結軸と直交状に平坦なアーム側合わせ面を設け、前記照明支持ブラケットにアーム側合わせ面に重ね合されるブラケット側合わせ面を設け、前記アーム側合わせ面にブラケット側合わせ面を重ね合わせて、前記照明支持ブラケットを介して側部照明器を照明支持アームに支持することが好ましい実施の形態である。
【００２１】
前記アーム側合わせ面を照明支持アームの軸心を含む面と略同じ位置に配置し、前記ブラケット側合わせ面を側部ケースの高さ方向の略中央部に配置し、前記１対の側部照明器として同一構成のものを用いることが好ましい実施の形態である。この場合には、１対の側部照明器として同一構成のものを採用できるので、照明装置を構成する部品の種類を少なくして、照明装置の製作コストを安くできる。
【００２２】
前記本体ケースの前面に前部照明器を取付け、該本体ケースから１対の側部照明器を照明支持アームとともに取り外して、前記照明支持アームを取り外した位置に形成される本体ケース側面の開口を側部蓋体で閉蓋した１灯式と、前記本体ケースの両側に側部照明器を取り付け、前記本体ケースから前部照明器を取り外して、該本体ケースの前面を前部蓋体で閉蓋した２灯式と、前記本体ケースの前面に前部照明器を取付け、該本体ケースの両側に側部照明器を取り付けた３灯式とに切り換え可能となすことが好ましい実施の形態である。このように構成することで、照明装置を構成する主要部品として共通部品を用いつつ、３種類の照明装置を製作することができる。
【００２３】
なお、前述した実施の形態は、任意に組み合わせて照明装置を構成することが可能である。
【考案の効果】
【００２４】
本考案に係る照明装置によれば、建物の外壁等に面的に固定される固定具に、本体支持アームを旋回可能に設け、照明器を備えた本体ケースを該本体支持アームの自由端に連結手段を介して角度調整可能に設けているので、例えば、建物の角部に適合する特殊な形状の取付具を用いることなく、建物の外壁等の角部に沿った２本の道路を１台の照明装置で照明することが可能となる。具体的には、建物の外壁等の角部を構成する一方の外壁面に固定具を固定し、本体支持アームを角部の頂部側へ回動させ、連結手段により本体ケースの前後方向を、角部の内角の中心線と略平行となるように回動させることで、左右の照明器により２本の道路をそれぞれ照らすことができる。
【図面の簡単な説明】
【００２５】
【図１】照明装置の斜視図
【図２】照明装置の斜視図
【図３】照明装置の正面図
【図４】照明装置の平面図
【図５】照明装置の右側面図
【図６】照明装置の背面図
【図７】図４のVII-VII線断面図
【図８】図４のVIII-VIII線断面図
【図９】固定具と本体支持アームの分解斜視図
【図１０】支軸を中心とした照明器の左右方向の可動範囲の説明図
【図１１】ボールジョイントを中心とした照明器の左右方向の可動範囲の説明図
【図１２】ボールジョイントによる照明器の上下方向への可動範囲の説明図
【図１３】照明支持アームの斜視図
【図１４】図８のXIV-XIV線断面図
【図１５】図８のXV-XV線断面図
【図１６】照明装置の使用方法の説明図
【図１７】照明装置の他の使用方法の説明図
【図１８】２灯式の照明装置の説明図
【図１９】１灯式の照明装置の説明図
【考案を実施するための形態】
【００２６】
以下、本考案の実施の形態について図面を参照しながら説明する。本実施の形態では、図１を基準に上下方向、前後方向、左右方向をそれぞれ定義して以下説明する。
【００２７】
図１〜図８に示すように、照明装置１は、本体ケース２と、本体ケース２を外壁等の取付面Ｗ１に固定するための固定具３と、固定具３に対して本体ケース２を旋回可能に支持する本体支持手段４と、本体ケース２の前面に固定した前部照明器５と、本体ケース２の左右両側に配置した側部照明器６と、左右の側部照明器６を本体ケース２に対してそれぞれ独立に角度調整可能に支持する１対の照明支持手段７と、本体ケース２の下部に設けた人感センサー８と、３つの照明器５、６、６への給電を制御可能な給電手段９とを備えている。
【００２８】
給電手段９は、赤外線センサーなどからなる人感センサー８からの信号を受けて３つの照明器５、６、６への給電を制御可能な周知の構成のもので、例えば不審者などの移動体の接近を検出すると、照明器５、６、６への給電を行って、照明器５、６、６を一定時間点灯するように構成したものである。ただし、人感センサー８を省略して、給電手段９に、照明器５、６、６を個別に或いは同時に点灯したり、消灯したりするための回路や、照明器５、６、６の点灯時における照度を調整するための回路などを備えさせることもできる。
【００２９】
（固定具）
固定具３は、その背面側を建物の外壁や塀などの壁面からなる取付面Ｗ１に面的に接触させて、複数本のネジ（図示略）により取付面Ｗ１に固定できるように構成されている。なお、本実施の形態では、固定具３として、背面側を開放した正面視正方形状の扁平な箱状のものを採用したが、照明装置１を取付面Ｗ１に固定し得る構成のものであれば、任意の形状のものを採用できる。
【００３０】
（本体支持手段）
図１〜図１２に示すように、本体支持手段４は、固定具３の前面中央部に前方へ突出状に設けた本体支持ブラケット１０と、本体支持ブラケット１０に旋回可能に設けた本体支持アーム１１と、本体支持アーム１１に角度調整可能に本体ケース２を連結する連結手段１２とを備えている。
【００３１】
本体支持ブラケット１０には下面を開放させた嵌合凹部１３が形成され、嵌合凹部１３の中央部には円筒状の支軸１４が設けられ、嵌合凹部１３の内周面には滑り止め用の内歯１５が形成されている。
【００３２】
本体支持ブラケット１０と本体ケース２間には本体支持アーム１１が設けられ、本体支持アーム１１の後部には本体支持ブラケット１０の嵌合凹部１３に内嵌する円筒状の嵌合筒部１６が上面側を開口させて形成され、嵌合筒部１６の外周部には内歯１５に係合する係合凸部１７が形成され、嵌合筒部１６の中央部には支軸１４の端部に回転自在に嵌合する凹部１８ａを有する軸受部１８が立設されている。
【００３３】
固定具３と本体支持アーム１１とは、固定具３の本体支持ブラケット１０の嵌合凹部１３に本体支持アーム１１の嵌合筒部１６を内嵌させるとともに、固定具３の支軸１４の先端部を本体支持アーム１１の軸受部１８の凹部１８ａに内嵌させ、係合凸部１７を内歯１５に係合させた状態で、旋回固定ネジ１９を本体支持アーム１１側から本体支持ブラケット１０に締結することで、周方向に相対回転不能に連結されている。また、固定具３と本体支持アーム１１とは、図７に示すように、旋回固定ネジ１９を緩めることで、係合凸部１７と内歯１５との係合が緩くなり、この状態で図１０に示すように、支軸１４の中心線Ｌ１を中心に本体支持アーム１１を左右方向に旋回させて、照明器５、６を正面に向けた状態から、左側へ角度θ１（例えば４５°）、右側へ角度θ２（例えば４５°）の範囲内において、左右方向の所望の角度に角度調整できるように構成されている。
【００３４】
連結手段１２は、ボールジョイントで構成され、本体支持アーム１１の前部には球状のボール部２０が形成され、本体ケース２の後部にはボール部２０が内嵌可能な球状の空洞部２１が形成され、本体支持アーム１１は、本体支持アーム１１にリング状のナット部材２２を外嵌させた状態で、ボール部２０を空洞部２１に内嵌させて、ナット部材２２を本体ケース２のネジ部２ａに締め付けることで本体ケース２に回動不能に連結されている。また、本体ケース２は、ナット部材２２を緩めることで、ボール部２０の中心ＣＰを中心として、照明器５、６を正面に向けた状態から、図１１に図示の左側へ角度θ３（例えば４５°）、右側へ角度θ４（例えば４５°）の範囲内において、左右方向の所望の角度に角度調整できるとともに、図１２に図示の上側へ角度θ５（例えば６０°）、下側へ角度θ６（例えば、４０°）の範囲内において、上下方向の所望の角度に角度調整できるように構成されている。
【００３５】
（照明器）
前部照明器５及び左右の側部照明器６は、平板状の基板３０に複数個の発光ダイオードなどの発光素子３１を配置してなる照明手段３２と、照明手段３２を収容する前部ケース３３と後部ケース３４とを備えている。前部照明器５及び左右の側部照明器６における照明手段３２は、照明装置１の製作コストを安くするため、同一構造に構成することが好ましいが、異なる構造に構成することも可能である。
【００３６】
前部照明器５及び左右の側部照明器６は略平板状に構成されている。前部照明器５及び左右の側部照明器６は、正面視正方形状に構成したが、正方形以外の長方形状や６角形状などの多角形状、円形状や楕円形状に構成することも可能である。また、左右の側部照明器６は、従来の照明器と同様の形状のものを採用することが可能であり、例えば特許文献１記載のような砲弾型の照明器を採用することも可能である。左右の側部照明器６は、照明装置１の製作コストを安くするため、同一部材で構成することが好ましい。
【００３７】
後部ケース３４は、放熱性を高めるため、熱伝導性に優れたアルミニウム合金などで構成され、前部ケース３３は、透明な合成樹脂材料で構成され、発光素子３１からの光の指向性を高めるため、前部ケース３３には各発光素子３１の前側に対応させて集光レンズ３５が一体的に形成されている。集光レンズ３５の個数は、図３では１０個設けたが、１０個以外の個数設けることもできる。また、各集光レンズ３５に対応させて１つの発光素子３１を配置することもできるが、給電手段９の回路構成を簡単にするため、例えば８個の集光レンズ３５に対応させて、１つの発光素子３１を設け、残り２つの集光レンズ３５に対応させて２つの発光素子３１を設けることも好ましい。また、発光素子３１の放熱性を高めるため、２つの発光素子３１を隣接配置する場合には、照明器の外側の集光レンズ３５に該２つの発光素子３１が配置されるように構成することが好ましく、図３に示すように、下側の左右両側の集光レンズ３５に対面させて配置される発光素子３１をそれぞれ２つ設けることが好ましい。
【００３８】
（照明支持手段）
図１、図２、図４〜図６、図８、図１３〜図１７に示すように、照明支持手段７は、左右の側部照明器６を本体ケース２に対して角度調整可能に支持するためのもので、本体ケース２から左右両側へ突出するように、本体ケース２に回動自在に設けた１対の照明支持アーム４０と、照明支持アーム４０の軸心と略直交する軸心回りに、側部照明器６を照明支持アーム４０に対して回動自在に連結する円筒状の筒状軸部４１（これが連結軸に相当する。）とを備えている。
【００３９】
より具体的には、本体ケース２の左右の側壁部２ｂには取付孔４２が形成され、照明支持アーム４０の基端部には取付孔４２に内嵌する基端側軸部４３が形成され、照明支持アーム４０の途中部には本体ケース２に対する基端側軸部４３の挿入位置を規制するフランジ部４４が形成されている。基端側軸部４３には周方向に間隔をあけて、基端側軸部４３の軸方向に延びる４本のスリット４５が形成され、基端側軸部４３は４本のスリット４５により４つの分割片４３ａに分割構成されている。分割片４３ａのうちのフランジ部４４とは反対側の端部の外周部には外方へ突出するフック部４６が形成され、１つの分割片４３ａのフランジ部４４側の端部には係合突部４７が形成され、係合突部４７のフック部４６側には３つの係合歯４８が連設されている。
【００４０】
取付孔４２の本体ケース２の内方側の端部には照明支持アーム４０のフック部４６と係合可能な角部４９が形成され、取付孔４２の内周面の内方側には照明支持アーム４０の係合歯４８に係合可能な内歯５０が全周にわたって環状に形成され、取付孔４２の内周面の外方側には係合突部４７に当接して照明支持アーム４０の回動範囲を規制する規制突部５１が形成されている。
【００４１】
照明支持アーム４０のフランジ部４４が本体ケース２に当接するまで、照明支持アーム４０の基端側軸部４３を本体ケース２の取付孔４２に挿入すると、フック部４６が取付孔４２の角部４９に係合して、照明支持アーム４０の軸方向への移動が規制されるとともに、係合歯４８が内歯５０に係合して、本体ケース２と照明支持アーム４０との相対回転が規制される。一方、比較的大きな操作力で、本体ケース２と照明支持アーム４０とを相対回転させようとすると、基端側軸部４３の分割片４３ａが弾性変形して、係合歯４８が内歯５０を乗り越えて、本体ケース２と照明支持アーム４０とが基端側軸部４３の中心線Ｌ２（これが照明支持アームの回動中心に相当する。）を中心として、係合突部４７が規制突部５１に当接するまでの図５に図示の角度範囲、即ち照明器５、６を正面に向けた状態から、上側へ角度θ７（例えば、９０°）、下側へ角度θ８（例えば、１８０°）の範囲内において、上下方向に角度調整できるように構成されている。
【００４２】
照明支持アーム４０の先端部には大端部５２が形成され、大端部５２には照明支持アーム４０の軸心と直交する方向へ突出する円筒状の筒状軸部４１が形成され、筒状軸部４１の中央部には筒状の取付部５３が立設されている。側部照明器６の後部ケース３４の後面の一側部には後方へ突出する照明支持ブラケット５４が形成され、照明支持ブラケット５４の端部には照明支持アーム４０の筒状軸部４１が内嵌する嵌合凹部５５が形成され、照明支持アーム４０は、側部照明器６の嵌合凹部５５に筒状軸部４１を内嵌させて、取付部５３にネジ５６を固定することで、側部照明器６に取付けられている。また、ネジ５６を緩めることで、左右の側部照明器６が筒状軸部４１の中心線Ｌ３を中心として、照明器５、６を正面に向けた状態から、図４に図示の角度θ９（例えば、１３０°）と角度θ１０（例えば、１３０°）の範囲内において、左右方向の所望の角度にそれぞれ独立に角度調整できるように構成されている。なお、角度θ１〜θ１０は、照明器５、６の可動範囲をできるだけ大きくするため、設計上許容できる範囲で極力大きく設定することが好ましい。
【００４３】
左右の側部照明器６と照明支持アーム４０とは同一構造に構成され、右側の側部照明器６と左側の側部照明器６とは上下を反転させて本体ケース２に組み付けられ、照明装置１を構成する部品の種類を極力少なくしてその製作コストが安くなるように構成されている。左右の側部照明器６と照明支持アーム４０とを同一構造に構成するため、図８に示すように、左側の側部照明器６の照明支持ブラケット５４は照明支持アーム４０の下側に配置されるとともに、右側の側部照明器６の照明支持ブラケット５４は照明支持アーム４０の上側に配置され、また照明支持ブラケット５４と照明支持アーム４０との合わせ面５４ａ、４０ａが側部照明器６の高さ方向の略中央部に配置されて、左右の側部照明器６の高さが略同じ高さになるように構成されている。
【００４４】
この照明装置１では、建物の外壁等の取付面Ｗ１に面的に固定される固定具３に、本体支持アーム１１を旋回可能に設け、照明器５、６、６を備えた本体ケース２を本体支持アーム１１の自由端に連結手段１２を介して旋回可能に設けているので、例えば、建物の角部に適合する特殊な形状の取付具を用いることなく、建物の外壁等の角部に沿った２本の道路を１台の照明装置１で照明することが可能となる。具体的には、図１６に示すように、建物の外壁等の角部Ｃを構成する一方の外壁面からなる取付面Ｗ１に固定具３を面的に設置して固定し、支軸１４の中心線Ｌ１を中心に本体支持アーム１１を角部Ｃの頂部側へ旋回させるとともに、必要に応じて中心ＣＰを中心に本体支持アーム１１に対して本体ケース２を角部Ｃの頂部側へ回動させ、本体ケース２の前後方向を角部Ｃの内角の中心線と略平行となるように回動させることで、左右の側部照明器６により２本の道路をそれぞれ別個に照らすことができる。
【００４５】
また、照明装置１の前側に関しては、前部照明器５により照明できるので、左右の側部照明器６、６の角度調整可能な範囲を大きく設定して、例えば左右の側部照明器６、６を略真横へ向けて配置した場合でも、照明装置１の前側を確実に且つ十分に照明することができる。側部照明器６を側方へ向けて配置し、照明器から左右両側へ光を照射することで、建物の外壁等に沿った道路の左右両側を照明することが可能となり、比較的離れた位置から建物の扉や窓へ向かって接近する人を照明して、防犯性をより一層向上できる。
【００４６】
更に、側部照明器６、６をそれぞれ後方へ向けて配置できるので、図１７に示すように、照明装置１を天井面からなる取付面Ｗ２に取付けて、左右の側部照明器６を取付面Ｗ２側へ向けることで、間接照明を容易に得ることがでる。また、図４の仮想線で示すように側部照明器６を回動させても、間接照明を得ることができる。
【００４７】
このように、この照明装置１では、側部照明器６の角度調整に対する自由度が大きいので、屋外用として用いた場合には、建物の周辺条件などに応じて柔軟に光の照射方向を切り換えることができる。また、屋内用として用いた場合には、直接照明だけでなく、間接照明も可能なので、利用者の好みに応じて室内照明を切り換えることが可能となる。
【００４８】
なお、前述した照明装置１は、左右の側部照明器６と中央の前部照明器５とを備えた３灯式の照明装置であるが、図１８に示す照明装置１Ａのように、前部照明器５に代えて本体ケース２の前面に前部蓋体６０を固定し、前部照明器５を省略して、２灯式の照明装置を構成することもできる。また、図１９に示す照明装置１Ｂのように、左右の側部照明器６を省略して、側部照明器６の取付位置に形成される本体ケース２の開口を側部蓋体６１で閉蓋し、１灯式の照明装置を構成することもできる。このように、３灯式と２灯式と１灯式の３種類の照明装置１、１Ａ、１Ｂは、その大部分が共通部品で構成できるので、製作コストを安くしつつ、照明装置の種類を容易に増やすことができる。また、この照明装置１、１Ａ，１Ｂは、建物の外壁等に設置する屋外用として好適に利用できるが、室内の壁や天井に設置することも可能である。
【００４９】
以上、本考案の実施形態について説明したが、本考案は前述した実施形態に何ら限定されるものではなく、本考案の要旨を逸脱しない範囲においてその構成を変更し得ることは勿論である。
【符号の説明】
【００５０】
１      照明装置
２      本体ケース
２ａ    ネジ部
２ｂ    側壁部
３      固定具
４      本体支持手段
５      前部照明器
６      側部照明器
７      照明支持手段
８      人感センサー
９      給電手段
１０    本体支持ブラケット
１１    本体支持アーム
１２    連結手段
１３    嵌合凹部
１４    支軸
１５    内歯
１６    嵌合筒部
１７    係合凸部
１８    軸受部
１８ａ   凹部
１９    旋回固定ネジ
２０    ボール部
２１    空洞部
２２    ナット部材
３０    基板
３１    発光素子
３２    照明手段
３３    前部ケース
３４    後部ケース
３５    集光レンズ
４０    照明支持アーム
４０ａ   合わせ面
４１    筒状軸部
４２    取付孔
４３    基端側軸部
４３ａ  分割片
４４    フランジ部
４５    スリット
４６    フック部
４７    係合突部
４８    係合歯
４９    角部
５０    内歯
５１    規制突部
５２    大端部
５３    取付部
５４    照明支持ブラケット
５４ａ   合わせ面
５５    嵌合凹部
５６    ネジ
１Ａ    照明装置
６０    前部蓋体
１Ｂ    照明装置
６１    側部蓋体
ＣＰ    中心
Ｌ１    中心線
Ｌ２    中心線
Ｌ３    中心線
Ｗ１    取付面
Ｗ２    取付面
Ｃ      角部
θ１〜θ１０    角度
【図１】
0003202066.tif 000003
【図２】
0003202066.tif 000004
【図３】
0003202066.tif 000005
【図４】
0003202066.tif 000006
【図５】
0003202066.tif 000007
【図６】
0003202066.tif 000008
【図７】
0003202066.tif 000009
【図８】
0003202066.tif 000010
【図９】
0003202066.tif 000011
【図１０】
0003202066.tif 000012
【図１１】
0003202066.tif 000013
【図１２】
0003202066.tif 000014
【図１３】
0003202066.tif 000015
【図１４】
0003202066.tif 000016
【図１５】
0003202066.tif 000017
【図１６】
0003202066.tif 000018
【図１７】
0003202066.tif 000019
【図１８】
0003202066.tif 000020
【図１９】
0003202066.tif 000021